(57)【要約】【課題】既設下枠に対するアタッチメントの位置決めを容易に行うことができる改装用サッシの施工方法および改装用サッシのアタッチメントを提供する。【解決手段】既設下枠２２に下枠アタッチメント５２を固定するアタッチメント固定工程と、下枠アタッチメント５２に新設下枠４２を固定する新設下枠固定工程と、を有し、アタッチメント固定工程は、下枠アタッチメント５２の第３鉛直板部７４５の室内側の面（室内外方向位置決め面）７４５ｂを既設下枠２２の室外側レール２２４の室外側の面２２４ａに室外側から当接させて、下枠アタッチメント５２の室内外方向の位置決めを行う室内外方向位置決め工程と、室内外方向位置決め面の室内側に隣接して下枠アタッチメント５２に設けられた高さ調整部７７を室外側レール２２４に載置して、高さ調整部７７で下枠アタッチメント５２の高さ方向の位置決めを行う高さ方向位置決め工程と、を有する。【選択図】図２
2018105070.tif 000002
【特許請求の範囲】
【請求項１】
室内と室外とを仕切る壁部に設けられた既設サッシの既設下枠に、改装用サッシの新設下枠を取り付ける改装用サッシの施工方法において、
前記既設下枠にアタッチメントを固定するアタッチメント固定工程と、
前記アタッチメントに前記新設下枠を固定する新設下枠固定工程と、を有し、
前記アタッチメント固定工程は、
前記アタッチメントに設けられた室内外方向位置決め面を前記既設下枠の室外側レールの室外側の面に室外側から当接させて、前記アタッチメントの室内外方向の位置決めを行う室内外方向位置決め工程と、
前記室内外方向位置決め面の室内側に隣接して前記アタッチメントに設けられた高さ調整部を前記室外側レールに載置して、前記高さ調整部で前記アタッチメントの高さ方向の位置決めを行う高さ方向位置決め工程と、を有することを特徴とする改装用サッシの施工方法。
【請求項２】
新設下枠固定工程は、前記新設下枠を前記アタッチメントに固定する工程の前に、前記既設下枠における室外側の端面に、前記新設下枠との室内外方向の間隔を保持するスペーサを設けるスペーサ設置工程を有する請求項１に記載の改装用サッシの施工方法。
【請求項３】
室内と室外とを仕切る壁部に設けられた既設サッシの既設下枠に固定されて改装用サッシの新設下枠が固定される改装用サッシのアタッチメントにおいて、
前記既設下枠の室外側レールの室外側の面に室外側から当接させて、前記アタッチメントの室内外方向の位置決めを行う室内外方向位置決め面と、
前記室内外方向位置決め面の室内側に隣接して設けられ、前記室外側レールに載置された状態で前記アタッチメントの高さ方向の位置決めを行う高さ調整部と、を有することを特徴とする改装用サッシのアタッチメント。
【請求項４】
前記既設下枠に固定されて前記新設下枠が固定される本体部を有し、
前記高さ調整部は、高さ方向に延びる向きで前記本体部に係止されたネジ部と、
前記室外側レールに載置されて前記ネジ部が螺合する載置部と、を有し、
前記ネジ部は、前記本体部に対して軸線回りに回転可能かつ高さ方向に相対移動不可能に構成され、
前記載置部は、前記ネジ部とともに前記ネジ部の軸線回りに回転不可能かつ前記本体部に対して上下方向に相対移動可能に構成されている請求項３に記載の改装用サッシのアタッチメント。
【発明の詳細な説明】
【技術分野】
【０００１】
本発明は、改装用サッシの施工方法およびアタッチメントに関する。
【背景技術】
【０００２】
従来、サッシの改装を行う場合に、既設サッシの枠（既設枠）と改装用サッシの枠（新設枠）との間に新設枠の取り付け面を例えば水平にするために捨て枠などと呼ばれるアタッチメントを設けることがある（例えば、特許文献１参照）。特許文献１に開示されたアタッチメントは、既設枠の下枠（既設下枠）の室外側レールの室外側の面と当接することで室内外方向の位置決めが行われるように構成されている。また、このアタッチメントは、既設下枠に固定するためのネジが挿し込まれるネジ孔が高さ方向に延びる長孔状に形成されていて、このネジ孔の高さ寸法の範囲で既設枠に対して高さ調整可能に構成されている。
【先行技術文献】
【特許文献】
【０００３】
【特許文献１】特開２０１１−１２４０６号公報
【発明の概要】
【発明が解決しようとする課題】
【０００４】
しかしながら、特許文献１に開示されたアタッチメントでは、既設下枠に対して上下方向の位置決めを行う際に、作業者がアタッチメントを所望の高さとなるように押さえたり把持したりしなればならず、アタッチメントの上下方向の位置決めが困難であるという問題がある。
【０００５】
本発明は、上述する問題点に鑑みてなされたもので、既設下枠に対するアタッチメントの位置決めを容易に行うことができる改装用サッシの施工方法および改装用サッシのアタッチメントを提供することを目的とする。
【課題を解決するための手段】
【０００６】
上記目的を達成するため、本発明に係る改装用サッシの施工方法は、室内と室外とを仕切る壁部に設けられた既設サッシの既設下枠に、改装用サッシの新設下枠を取り付ける改装用サッシの施工方法において、前記既設下枠にアタッチメントを固定するアタッチメント固定工程と、前記アタッチメントに前記新設下枠を固定する新設下枠固定工程と、を有し、前記アタッチメント固定工程は、前記アタッチメントに設けられた室内外方向位置決め面を前記既設下枠の室外側レールの室外側の面に室外側から当接させて、前記アタッチメントの室内外方向の位置決めを行う室内外方向位置決め工程と、前記室内外方向位置決め面の室内側に隣接して前記アタッチメントに設けられた高さ調整部を前記室外側レールに載置して、前記高さ調整部で前記アタッチメントの高さ方向の位置決めを行う高さ方向位置決め工程と、を有することを特徴とする。
【０００７】
本発明では、既設下枠の室外側レールの室外の面にアタッチメントの室内外方向位置決め面を室外側から当接させることでアタッチメントの室内外方向の位置決めを容易に行うことができる。また、既設下枠の室外側レールに高さ調整部を載置した状態で高さ調整部を調整してアタッチメントの高さ方向の位置決めを行うことにより、アタッチメントの高さ方向の位置決めを行う際に、作業者がアタッチメントを所望の高さに押さえたり、把持したりしなくてもアタッチメントの位置が安定するため、アタッチメントの高さ方向の位置決めを容易に行うことができる。
また、アタッチメントの室内外方向の位置決めを行う室内外方向位置決め面の室内外方向の室内側に隣接する高さ調整部でアタッチメントの高さ方向の位置決めを行うことにより、室内外方向の位置決めと高さ方向の位置決めとを隣接した位置で同時にまたは連続して行うことができる。
【０００８】
また、本発明に係る改装用サッシの施工方法では、新設下枠固定工程は、前記新設下枠を前記アタッチメントに固定する工程の前に、前記既設下枠における室外側の端面に、前記新設下枠との室内外方向の間隔を保持するスペーサを設けるスペーサ設置工程を有していてもよい。
このような構成とすることにより、新設枠をスペーサの室外側の面に当接させることにより、新設枠の室内外方向の位置決めを容易に行うことができる。また、スペーサによって形成された既設下枠における室外側の端面と新設下枠との隙間を既設下枠と新設下枠の間に入り込んだ雨水などの水抜き孔として使用することができる。
既設下枠における室外側の端面とは、既設下枠における一番室外側に配置されて室外側を向く面を示している。
【０００９】
また、本発明に係る改装用サッシのアタッチメントは、室内と室外とを仕切る壁部に設けられた既設サッシの既設下枠に固定されて改装用サッシの新設下枠が固定される改装用サッシのアタッチメントにおいて、前記既設下枠の室外側レールの室外側の面に室外側から当接させて、前記アタッチメントの室内外方向の位置決めを行う室内外方向位置決め面と、前記室内外方向位置決め面の室内側に隣接して設けられ、前記室外側レールに載置された状態で前記アタッチメントの高さ方向の位置決めを行う高さ調整部と、を有することを特徴とする。
【００１０】
本発明では、アタッチメントは既設下枠の室外側レールの室外の面に室外側から当接させる室内外方向位置決め面を有することにより、アタッチメントの室内外方向の位置決めを容易に行うことができる。また、アタッチメントは既設下枠の室外側レールに載置された状態でアタッチメントの高さ方向の位置決めを行う高さ調整部を有することにより、アタッチメントの高さ方向の位置決めを行う際に、作業者がアタッチメントを所望の高さに押さえたり、把持したりしなくてもアタッチメントの位置が安定するため、アタッチメントの高さ方向の位置決めを容易に行うことができる。
また、室内外方向位置決め面と高さ調整部とが隣接して設けられていることにより、室内外方向の位置決めと高さ方向の位置決めとを隣接した位置で同時にまたは連続して行うことができる。
【００１１】
また、本発明に係る改装用サッシのアタッチメントでは、前記既設下枠に固定されて前記新設下枠が固定される本体部を有し、前記高さ調整部は、高さ方向に延びる向きで前記本体部に係止されたネジ部と、前記室外側レールに載置されて前記ネジ部が螺合する載置部と、を有し、前記ネジ部は、前記本体部に対して軸線回りに回転可能かつ高さ方向に相対移動不可能に構成され、前記載置部は、前記ネジ部とともに前記ネジ部の軸線回りに回転不可能かつ前記本体部に対して上下方向に相対移動可能に構成されていてもよい。
このような構成とすることにより、室外側レールに載置された載置部に対するネジ部の高さを調整することにより、本体部がネジ部とともに高さ方向に移動するため、本体部を所望の高さに配置することができる。
【発明の効果】
【００１２】
本発明によれば、既設下枠に対するアタッチメントの位置決めを容易に行うことができる。
【図面の簡単な説明】
【００１３】
【図１】本発明の第１実施形態による改装用サッシの概略を示す分解斜視図である。
【図２】本発明の第１実施形態による既設下枠、新設下枠および下枠アタッチメントの見付け方向に直交する断面図である。
【図３】本発明の第１実施形態による下枠アタッチメントの第２部材の見付け方向に直交する断面図である。
【図４】本発明の第１実施形態による下枠アタッチメントの第２部材の平面図である。
【図５】（ａ）は本発明の第１実施形態による高さ調整部の載置部を見付け方向から見た側面図、（ｂ）は本発明の第１実施形態による高さ調整部の載置部の平面図、（ｃ）本発明の第１実施形態による高さ調整部の載置部を室内外方向から見た正面図である。
【図６】本発明の第１実施形態による既設上枠、新設上枠および上枠アタッチメントの見付け方向に直交する断面図である。
【図７】本発明の第１実施形態による見付け方向の一方側に配置された既設縦枠、新設縦枠および縦枠アタッチメントの見付け方向に直交する断面図である。
【図８】本発明の第２実施形態による既設下枠、新設下枠および下枠アタッチメントの見付け方向に直交する断面図である。
【図９】（ａ）は本発明の第２実施形態による高さ調整部の載置部を見付け方向から見た側面図、（ｂ）は本発明の第２実施形態による高さ調整部の載置部の平面図、（ｃ）本発明の第２実施形態による高さ調整部の載置部を室内外方向から見た正面図である。
【図１０】本実施形態による変形例の見付け方向の一方側に配置された既設縦枠、新設縦枠および縦枠アタッチメントの見付け方向に直交する断面図である。
【発明を実施するための形態】
【００１４】
（第１実施形態）
以下、本発明の実施形態による改装用サッシの施工方法および改装用サッシのアタッチメントについて、図１乃至図８に基づいて説明する。
図１に示す本実施形態による改装用サッシ１は、室内と室外とを仕切る壁部１１の開口部１２に設けられたサッシを改装する際に用いられている。サッシの改装は、既設サッシ１３のサッシ障子（不図示）が撤去され、既設サッシ１３のサッシ枠２（以下、既設枠２とする）は撤去されずに残された状態で行われる。
本実施形態では、既設枠２の室内側に開口部１２の縁部に沿って額縁３（図２、６、７および８参照）が設けられている。
【００１５】
既設枠２は、見付け方向（壁部１１に沿った水平方向）に延在する既設上枠２１および既設下枠２２と、上下方向に延在し既設上枠２１および既設下枠２２それぞれの上端部と下端部との間に配置される一対の既設縦枠２３，２４と、を有している。
【００１６】
新設される改装用サッシ１は、サッシ枠４（以下、新設枠４とする）と、サッシ障子（不図示）と、既設枠２に固定されて新設枠４が固定されるアタッチメント５と、を有している。新設枠４は、見付け方向に延在する新設上枠４１および新設下枠４２と、上下方向に延在し新設上枠４１および新設下枠４２それぞれの上端部と下端部との間に配置される一対の新設縦枠４３，４４と、を有している。既設枠２と新設枠４との間に気密材（図２、６、７および８参照）が設けられている。
【００１７】
アタッチメント５は、既設上枠２１に固定されて新設上枠４１が固定される上枠アタッチメント５１と、既設下枠２２に固定されて新設下枠４２が固定される下枠アタッチメント５２と、一対の既設縦枠２３，２４の一方の既設縦枠２３に固定されて、一対の新設縦枠４３，４４の一方の新設縦枠４３が固定される縦枠アタッチメント５３と、一対の既設縦枠２３，２４の他方の既設縦枠２４に固定されて、一対の新設縦枠４３，４４の他方の新設縦枠４４固定される縦枠アタッチメント５４と、を有している。
【００１８】
図２に示すように、既設下枠２２は、開口部１２の下縁部の直上に配置される基部２２１と、基部２２１から下側に突出し壁部１１に室外側から固定された固定部２２２と、基部２２１の室外側の端部から上下に延びる網戸レール２２３と、基部２２１の網戸レール２２３よりも室内側となる位置から上側に延びる室外側レール２２４と、基部２２１の室外側レール２２４よりも室内側となる位置から上側に延びる室内側レール２２５と、基部２２１の室内側の端部に連結されたアングル部２２６と、を有している。
【００１９】
基部２２１は、見付け方向から見て室外側が室内側よりも下側となる階段状に形成されている。
固定部２２２は、略平板状に形成され板面が室内外方向（見付け方向に直交する方向）を向く鉛直面となる向きに配置されている。
網戸レール２２３、室外側レール２２４および室内側レール２２５は、それぞれ略平板状に形成され、板面が室内外方向を向く略鉛直面となる向きに配置されている。
網戸レール２２３は、既設サッシの網戸（不図示）を支持していた部材である。網戸レール２２３の室外側の面２２３ａは、既設下枠２２における一番室外側に配置された室外側の端面に相当している。本実施形態では、網戸レール２２３の室外側の面２２３ａに、新設下枠４２の既設網戸レール対向部４２２と網戸レール２２３との間隔を保持するための複数のスペーサ４２２ａが見付け方向に間隔をあけて貼りつけられている。
室外側レール２２４は、既設サッシの室外側サッシ障子（不図示）を支持していた部材である。室内側レール２２５は、既設サッシの室内側サッシ障子（不図示）を支持していた部材である。
【００２０】
アングル部２２６は、基部２２１の室内側の縁部から上側に延びる第１アングル部２２７と、第１アングル部２２７の上縁部から室内側に延びる第２アングル部２１８と、を有している。第１アングル部２２７は、額縁３の室外側の端面と当接またはわずかな隙間をあけて対向している。第２アングル部２２８は、額縁３の上面の室外側の端部近傍と当接またはわずかな隙間をあけて対向をしている。
【００２１】
下枠アタッチメント５２は、既設下枠２２に固定される第１部材７３と、第１部材７３と連結される第２部材７４と、第２部材７４に係止されて既設下枠２２に対する第１部材および第２部材７４の高さ調整可能な高さ調整部７７と、を有している。
本実施形態では、第２部材７４は、第１部材７３を介して既設下枠２２に固定されており、本発明の本体部に相当している。
【００２２】
第１部材７３は、断面形状が略Ｌ字形に形成され、略Ｌ字形を構成する一方の辺となる第１連結部７３１と、他方の辺となる第１固定部７３２と、を有している。第１連結部７３１は、略平板状に形成され板面が水平面となる向きで配置されている。第１固定部７３２は、第１連結部７３１の室外側の縁部から下側に延びる略平板状に形成され板面が室内外方向を向く鉛直面となる向きに配置されている。第１連結部７３１と第１固定部７３２との接続部分には角部７３３が形成されている。第１連結部７３１および第１固定部７３２は、金属などを加工して一体に形成されている。
【００２３】
第１連結部７３１は、上側に第２部材７４の第２連結部７４１が重なるように配置され、第２連結部７４１と連結可能に構成されている。第１連結部７３１には、第２連結部７４１と連結するためのネジ７０ｇが挿通される丸孔状のネジ孔７３１ａが見付け方向に所定のピッチで複数形成されている。
第１固定部７３２は、室内側の面が既設下枠２２の室内側レール２２５の室外側の面と当接して配置されるように構成されている。第１連結部７３１と第１固定部７３２がなす角部７３３には、室内側レール２２５の上端部が当接するように構成されている。
第１固定部７３２には、室内側レール２２５に固定するためのネジが挿通される丸孔状のネジ孔７３２ａが形成されている。
【００２４】
図２乃至図４に示すように、第２部材７４は、略平板状に形成され板面が水平面となる向きで第１部材７３の第１連結部７３１（図２参照）の上側に配置される第２連結部７４１と、第２連結部７４１の室外側の縁部から下側に延びる第１鉛直板部７４２と、第１鉛直板部７４２の下縁部から室外側に延びる水平板部７４３と、水平板部７４３の室内外方向の中間部から下側に延びる第２鉛直板部７４４と、水平板部７４３の室外側の縁部から下側に延びる第３鉛直板部７４５と、を有している。
第２鉛直板部７４４と第３鉛直板部７４５とは、略同じ高さ寸法で室内外方向に所定の間隔をあけて配置されている。水平板部７４３の下側における第２鉛直板部７４４と第３鉛直板部７４５との間には、下側に開口する溝部７４６が形成されている。
第２連結部７４１、第１鉛直板部７４２、水平板部７４３、第２鉛直板部７４４および第３鉛直板部７４５は、金属などを加工して一体に形成されている。
【００２５】
第２連結部７４１には、第１連結部７３１と連結するためのネジ７０ｇが挿通される室内外方向に延びる長孔状のネジ孔７４１ａが見付け方向に所定のピッチで複数形成されている。なお、図４では、ネジ孔７４１ａは１つのみ示されているが、上述したように所定のピッチで複数形成されているものとする。
第１連結部７３１と第２連結部７４１とは、それぞれのネジ孔７３１ａ，７４１ａに挿通されたネジ７０ｇで連結されるが、第２連結部７４１のネジ孔７４１ａが室内外方向に延びる長孔状に形成されているため、このネジ孔７４１ａの室内外方向の長さ範囲で第１連結部７３１と第２連結部７４１とを連結する位置を調整可能に構成されている。
【００２６】
水平板部７４３には、溝部７４６の上側に相当する位置に上下方向に貫通する貫通孔７４３ａが見付け方向に所定のピッチで形成されている。なお、図４では、貫通孔７４３ａは１つのみ示されているが、上述したように所定のピッチで複数形成されているものとする。
【００２７】
図３に示すように、第２鉛直板部７４４には、上端部（水平板部７４３との連結部）よりもやや下側に室外側に突出する第１突出部７４４ａが形成されている。第３鉛直板部７４５には、上端部（水平板部７４３との連結部）よりもやや下側に室内側に突出する第２突出部７４５ａが形成されている。第１突出部７４４ａと第２突出部７４５ａとは、略同じ高さに形成されていて、室内外方向に対向するように配置されている。溝部７４６のうちの第１突出部７４４ａおよび第２突出部７４５ａよりも上側の部分を第１空部７４６ａとし、第１突出部７４４ａおよび第２突出部７４４ｂよりも下側の部分を第２空部７４６ｂとする。
【００２８】
図２に戻り、高さ調整部７７は、ネジ部７７１と、ネジ部７７１が挿通される載置部７７２と、を有している。高さ調整部７７は、第２部材７４の溝部７４６に配置されている。
ネジ部７７１は、頭部７７１ａの端面が平坦面となる皿ネジで、頭部７７１ａが脚部７７１ｂの上側となる向きで配置される。ネジ部７７１は、頭部７７１ａが溝部７４６の第１空部７４６ａに配置され、脚部７７１ｂが溝部７４６の第２空部７４６ｂに配置される。ネジ部７７１は、頭部７７１ａの下側に溝部７４６の内部の第１突出部７７４ａおよび第２突出部７７４ｂ配置されているため、第２部材７４に係止されて溝部７４６から落下しないように構成されている。
【００２９】
ネジ部７７１は、第２部材７４の水平板部７４３に形成された貫通孔７４３ａの下側に配置されている。ネジ部７７１は、頭部７７１ａが貫通孔７４３ａよりも大きい径に形成されていて、貫通孔７４３ａから上側に抜け出ることができないように構成されている。
ネジ部７７１は、第２部材７４に係止された状態で軸線回りに回転可能に構成されている。このため、作業者は、第２部材７４の上側から貫通孔７４３ａを介してドライバーなどでネジ部７７１を回転させることができる。
【００３０】
図５に示すように、載置部７７２は、ステンレスなどの金属板を加工した部材で、板面が長方形状に形成され室内外方向よりも見付け方向に長く板面が水平面となる向きで配置される上板部７７３と、上板部７７３の見付け方向の両縁部からそれぞれ下側に延びる一対の側板部７７４，７７４と、一対の側板部７７４，７７４の下縁部からそれぞれ離間する方向に延びる一対の下板部７７５，７７５と、を有している。載置部７７２は、室内外方向から見て下側に開口するハット状に形成されている。
上板部７７３には、上下方向に貫通し、ネジ部７７１の脚部７７１ｂが螺合するネジ孔７７３ａが形成されている。ネジ孔７７３ａは、上板部７７３から下側に突出するバーリングに形成されている。ネジ部７７１は、載置部７７２への挿入深さ（高さ）を調整可能に構成されている。
【００３１】
載置部７７２の室内外方向の寸法は、溝部７４６の第２空部７４６ｂの室内外方向の寸法よりもやや小さく形成されている。載置部７７２は、ネジ孔７７３ａにネジ部７７１が挿通された状態で溝部７４６の第２空部７４６ｂに配置される。載置部７７２は、第２空部７４６ｂに配置されると、第２部材７４の第２鉛直板部と第３鉛直板部とに挟まれ、第２空部７４６ｂ内においてネジ部７７１の軸線回りに回転できず、第２部材７４に対して高さ方向のみ移動可能となる。
このため、高さ調整部７７が溝部７４６に配置された状態でネジ部７７１を回転させても、載置部７７２はネジ部７７１とともに回転せず。ネジ部７７１に対して高さ方向に相対移動することになる。そして、ネジ部７７１と第２部材７４とは上下方向に相対移動不可能であるため、ネジ部７７１と載置部７７２とが高さ方向に相対移動すると、第２部材７４がネジ部７７１とともに載置部７７２に対して高さ方向に相対移動することになる。
【００３２】
図２に戻り、新設下枠４２は、既設下枠２２に固定された下枠アタッチメント５２の直上に配置される基部４２１と、基部４２１の室外側の端部から下側に突出する既設網戸レール対向部４２２と、基部４２１の室外側の端部近傍から上側に突出する網戸レール４２３と、基部４２１の既設網戸レール対向部４２２よりも室内側から上側に延びる室外側レール４２４と、基部４２１の室外側レール４２４よりも室内側から上側に延びる室内側レール４２５と、基部４２１の室内側の端部近傍に設けられた樹脂カバー係止部４２６と、樹脂カバー係止部４２６に係止される樹脂カバー４２７と、を有している。
【００３３】
基部４２１は、下面が室外側が室内側よりも下側となる階段状に形成されている。基部４２１には、室外側レール４２４と室内側レール４２５との間にネジ孔４２１ａが形成されている。
既設網戸レール対向部４２２は、平板状に形成され、板面が室内外方向を向く鉛直面となる向きに配置されている。既設網戸レール対向部４２２は、スペーサ４２２ａと当接した状態で網戸レール２２３の室外側の面と対向している。
【００３４】
網戸レール４２３は、新設サッシの網戸（不図示）を支持する部材である。室外側レール４２４は、既設サッシの室外側サッシ障子（不図示）を支持する部材である。室内側レール４２５は、既設サッシの室内側サッシ障子（不図示）を支持する部材である。網戸レール４２３、室外側レール４２４および室内側レール４２５は、それぞれ略平板状に形成され、板面が室内外方向を向く略鉛直面となる向きに配置されている。
樹脂カバー係止部４２６は、略平板状に形成され、板面が室内外方向を向く略鉛直面となる向きに配置されている。
樹脂カバー４２７は、基部４２１の室内側レール４２５よりも室内側の部分における上面に沿って配置される基部カバー部４２７ａと、基部カバー部４２７ａの室内側の端部から上側に延びて樹脂カバー係止部４２６に係止される被係止部４２７ｂと、被係止部４２７ｂの上端部から室内側に延びる室内側延設部４２７ｃと、を有している。
【００３５】
次に、既設下枠に新設下枠を取り付ける方法について説明する。
まず、下枠アタッチメント５２を既設下枠２２に固定する（アタッチメント固定工程）。
まず、第１部材７３を既設下枠２２に固定する。このとき、第１部材７３の第１連結部７３１と第１固定部７３２との角部の下側に室内側レール２２５の上端部が当接した状態で第１部材７３を既設下枠２２に固定する。第１部材７３の第１固定部７３２に形成されたネジ孔７３２ａに挿通されたネジ７０ｈを既設下枠２２の室内側レール２２５に固定して、第１部材７３を既設下枠２２に固定する。
【００３６】
続いて、既設下枠２２に固定された第１部材７３に第２部材７４を固定する。室外側レール２２４の室外側の面に、第２部材７４の第３鉛直板部７４５の室内側の面７４５ｂを当接させ、第２部材７４の室内外方向の位置決めを行う（室内外方向位置決め工程）。本実施形態では、第２部材７４の第３鉛直板部７４５の室内側の面７４５ｂが、本発明の室内外方向位置決め面に相当している。
【００３７】
室外側レール２２４の上端部に載置部７７２の下板部の下面が当接するように、高さ調整部７７を載置する。そして、高さ調整部７７で第２部材７４の高さ方向の位置決めを行う（高さ方向位置決め工程）。高さ調整部７７による第２部材７４の高さ方向の位置決めは、高さ調整部７７のネジ部７７１を回転させて、載置部７７２に対する第２部材７４の高さを調整することで行う。載置部７７２は室外側レール２２４に当接していて既設下枠２２に対する高さは変わらないため、ネジ部７７１を回転させて載置部７７２に対するネジ部７７１の挿入深さを調整することにより、既設下枠２２に対する第２部材７４の高さを調整することができる。このようにして第２部材７４の高さ方向の位置決めを行う。
【００３８】
室内外方向および高さ方向に位置決めされた第２部材７４の第２連結部７４１を第１部材７３の第１連結部７３１の上に載置し、重なった第１連結部７３１のネジ孔７３１ａと第２連結部７４１のネジ孔７４１ａにネジ７０ｇを挿通して締結することで第２部材７４を第１部材７３に固定する。これにより下枠アタッチメント５２が既設下枠２２に固定される。
第１部材７３と第２部材７４が室内外方向の所定の範囲において連結する位置を調整可能に構成されていることにより、既設下枠２２の形状にかかわらず下枠アタッチメント５２を既設下枠２２に固定可能な形状とすることができる。
【００３９】
続いて、既設下枠２２に固定された下枠アタッチメント５２に新設下枠４２を固定する方法について説明する（新設下枠固定工程）。
まず、既設下枠２２の網戸レール２２３にスペーサ４２２ａを貼りつける（スペーサ設置工程）。
新設下枠４２を下枠アタッチメント５２の上側に配置し、新設下枠４２の基部４２１を下枠アタッチメント５２の第２部材７４の第２連結部７４１に固定する。基部４２１に形成されたネジ孔４２１ａに挿通されたネジ７０ｈで基部４２１を第２連結部７４１に固定して、新設下枠４２を下枠アタッチメント５２に固定する。このとき、新設下枠４２の既設網戸レール対向部４２２を既設下枠２２の網戸レール２２３に貼りつけられたスペーサ４２２ａに室外側から当接させて位置決めを行う。
上記の下枠アタッチメント５２への新設下枠４２の固定と前後して、樹脂カバー４２７や気密材などを適宜設置する。
【００４０】
図６に示すように、既設上枠２１は、開口部１２の上縁部の直下に配置される基部２１１と、基部２１１から上側に突出し開口部１２の上側において壁部１１に室外側から固定される固定部２１２と、基部２１１の室外側の端部から下側に延びる網戸レール２１３と、基部２１１の網戸レール２１３よりも室内側となる位置から下側に延びる室外側レール２１４と、基部２１１の室外側レール２１４よりも室内側となる位置から下側に延びる室内側レール２１５と、基部２１１の室内側の端部に連結されたアングル部２１６と、を有している。
【００４１】
基部２１１は、略平板状に形成され、板面が略水平面となる向きに配置されている。
固定部２１２は、略平板状に形成され、板面が室内外方向を向く鉛直面となる向きに配置されている。
網戸レール２１３は、既設サッシの網戸（不図示）を支持していた部材である。室外側レール２１４は、既設サッシの室外側サッシ障子（不図示）を支持していた部材である。
室内側レール２１５は、既設サッシの室内側サッシ障子（不図示）を支持していた部材である。これらの網戸レール２１３、室外側レール２１４および室内側レール２１５は、それぞれ略平板状に形成され、板面が室内外方向を向く略鉛直面となる向きに配置されている。
【００４２】
アングル部２１６は、基部２１１の室内側の縁部から下側に延びる第１アングル部２１７と、第１アングル部２１７の下縁部から室内側に延びる第２アングル部２１８と、を有している。第１アングル部２１７は、額縁３の室外側の端面と当接またはわずかな隙間をあけて対向している。第２アングル部２１８は、額縁３の下面の室外側の端部近傍と当接またはわずかな隙間をあけて対向をしている。
【００４３】
上枠アタッチメント５１は、第１部材７１と第２部材７２とを有している。第１部材７１と第２部材７２とは、連結された状態で既設上枠２１に固定されている。第１部材７１と第２部材７２とは、室内外方向の所定の範囲において連結する位置を調整可能に構成されている。第１部材７１と第２部材７２とが連結される位置を調整することにより、既設上枠２１の形状にかかわらず上枠アタッチメント５１を既設上枠２１に固定可能な形状とすることができる。本実施形態では、１つの第１部材７１および１つの第２部材７２の組が既設上枠２１に見付け方向に間隔をあけて複数固定されている。
【００４４】
第１部材７１は、第２部材７２の第３連結部７２１と連結される第１連結部７１１と、第２部材７２の第４連結部７２２と連結される第２連結部７１２と、第１連結部７１１と第２連結部７１２とを接続する接続部７１３と、接続部７１３と連結されて既設上枠２１の室内側レール２１５に固定される固定部７１４と、を有している。これらの第１連結部７１１、第２連結部７１２、接続部７１３および固定部７１４は、金属などで一体に形成されている。
【００４５】
第１連結部７１１は、板面が略長方形状となる板状に形成され、板面が水平面となる向きに配置されている。第１連結部７１１には、室内外方向に間隔をあけて配置された２つ丸孔状のネジ孔７１１ａ，７１１ａが見付け方向に間隔をあけて複数形成されている。
第２連結部７１２は、板面が略長方形状となる板状に形成され、板面が水平面となる向きに配置されている。第２連結部７１２には丸孔状のネジ孔７１２ａが見付け方向に間隔をあけて複数形成されている。第２連結部７１２は、第１連結部７１１に対して下側かつ室内側に配置されている。
【００４６】
接続部７１３は、第１連結部７１１の室内側の縁部と第２連結部７１２の室外側の縁部と、を接続している。接続部７１３は、第１連結部７１１の室内側の縁部から下側に延びる上側鉛直部７１３ａと、上側鉛直部の下縁部から下側に向かって漸次室内側に向かう斜め部７１３ｂと、斜め部７１３ｂの下縁部から下側に延びる第１下側鉛直部７１３ｃと、第１下側鉛直部７１３ｃの下縁部から室内側に延びる水平部７１３ｄと、水平部７１３ｄの室内側の縁部から下側に延びて第２連結部７１２の室外側の縁部と接続される第２下側鉛直部７１３ｅと、を有している。
【００４７】
固定部７１４は、接続部７１３の第２下側鉛直部７１３ｅの上縁部から上側に延びる下側鉛直部７１４ａと、下側鉛直部７１４ａの上縁部から上側に向かって漸次室内側に延びる下側斜め部７１４ｂと、下側斜め部７１４ｂの上縁部から上側に向かって漸次室外側に延びる上側斜め部７１４ｃと、上側斜め部７１４ｃの上縁部から上側に延びる上側鉛直部７１４ｄと、を有している。固定部７１４と接続部７１３との間には、既設上枠２１の室内側レール２１５の下部側が挿入される室内側レール挿入部７１６が形成されている。室内側レール挿入部７１６に既設上枠２１の室内側レール２１５が挿入されると、室内側レール２１５の下端部が接続部７１３の水平部７１３ｄの上面と当接するように構成されている。
下側斜め部７１４ｂには、丸孔状のネジ孔７１４ｅが形成されていて、室内側から室外側に向かって漸次上側となる斜め下側から挿通されたネジで既設上枠２１の室内側レール２１５に固定されるように構成されている。上側鉛直部７１４ｄの室外側の面は、既設上枠２１の室内側レール２１５の室内側の面に両面テープ７１７で貼りつけられるように構成されている。
【００４８】
第２部材７２は、第１部材７１の第１連結部７１１と連結される第３連結部７２１と、第１部材の第２連結部７１２と接続される第４連結部７２２と、第３連結部７２１と接続され既設上枠２１の室外側レール２１４に固定される第２固定部７２３と、新設上枠４１が固定される第３固定部７２４および第４固定部７２５と、第２固定部７２３と第３固定部７２４とを接続する第３接続部７２６と、第３固定部７２４と第４連結部７２２とを接続する第４接続部７２７と、第４連結部７２２と第４固定部７２５とを接続する第５接続部７２８と、第２固定部７２３と接続され室外側レール２１４の下端部が当接する室外側レール当接部７２９と、を有している。これらの第３連結部７２１、第４連結部７２２、第２固定部７２３、第３固定部７２４、第４固定部７２５、第３接続部７２６、第４接続部７２７、第５接続部７２８および室外側レール当接部７２９は、金属などを加工して一体に形成されている。
【００４９】
第３連結部７２１は、平板状に形成され板面が水平面となるように配置される。第３連結部７２１には、室内外方向に延びる長孔状のネジ孔７２１ａが見付け方向に間隔をあけて複数形成されている。
第３連結部７２１は、第１連結部７１１と連結されるように構成されている。第１連結部７１１と第３連結部７２１とは、第１連結部７１１のネジ孔７１１ａおよび第３連結部７２１のネジ孔７２１ａに挿入されたネジ７０ａによって互いの位置を室内外方向に調整した状態で連結可能に構成されている。このとき、第１連結部７１１には室内外方向に間隔をあけて２つのネジ孔７１１ａが形成されているため、２つのネジ孔７１１ａのどちらにネジを挿入するかによっても第１連結部７１１と第３連結部７２１との連結位置を調整することができる。
【００５０】
第４連結部７２２は、平板状に形成され板面が水平面となるように配置される。第４連結部７２２は、第２連結部７１２と連結されるように構成されている。第４連結部７２２には室内外方向に延びる長孔状のネジ孔７２２ａが見付け方向に間隔をあけて複数形成されている。第２連結部７１２と第４連結部７２２とは、第２連結部７１２のネジ孔７１２ａおよび第４連結部７２２のネジ孔７２２ａに挿入されたネジ７０ｂによって互いの位置を室内外方向に調整した状態で連結可能に構成されている。
なお、第１連結部７１１と第２連結部７１２とは一体であり、第３連結部７２１と第４連結部７２２とは一体であるため、第１連結部７１１と第３連結部７２１との位置調整、および第２連結部７１２と第４連結部７２２との位置調整は、同時に行うことになる。
【００５１】
第２固定部７２３は、第３連結部７２１の室外側の縁部よりも室内側に向かった位置から上側から下側に向かって漸次室外側に向かう傾斜した平板状に形成されている。第２固定部７２３には、見付け方向に間隔をあけて複数のネジ孔７２３ａが形成されている。このネジ孔７２３ａには、第２固定部７２３を既設上枠２１の室外側レール２１４を固定するためのネジ７０ｃが挿通される。
第３固定部７２４および第４固定部７２５は、略平板状に形成され板面が水平面となる向きに略同じ高さに配置されている。第３固定部７２４は、第４固定部７２５よりも室内側に配置されている。
【００５２】
第３接続部７２６は、第２固定部７２３の下縁部と第３固定部７２４の室外側の縁部とを接続している。第２固定部７２３は、第３固定部７２４よりも室外側かつ上側に配置されている。
第３接続部７２６は、第２固定部７２３の下縁部から室内側に延びる水平板部７２６ａと、水平板部７２６ａの室内側の縁部から下側に延びて第３固定部７２４の室外側の縁部と接続される鉛直板部７２６ｂと、を有している。
第４接続部７２７は、第３固定部７２４の室内側の縁部と第４連結部７２２の室外側の縁部とを接続している、第３固定部７２４は、第４連結部７２２よりも室外側かつ下側に配置されている。このため、第４接続部７２７は、室外側から室内側に向かって漸次上側に向かって傾斜した平板状に形成されている。
第５接続部７２８は、第４連結部７２２の室内側の縁部と第４固定部７２５の室外側の縁部とを接続している、第４連結部は、第４固定部７２５よりも室外側かつ上側に配置されている。このため、第５接続部７２８は、室外側から室内側に向かって漸次下側に向かって傾斜した平板状に形成されている。
室外側レール当接部７２９は、第２固定部７２３の下縁部のやや上側から室外側に突出し、室外側の先端部が上側に曲がっている。
【００５３】
新設上枠４１は、既設上枠２１に固定された上枠アタッチメント５１の直下に配置される基部４１１と、基部４１１の室外側の端部から上側に突出する既設網戸レール当接部４１２と、基部４１１の室外側の端部から下側に突出する網戸レール４１３と、基部４１１の網戸レール４１３よりも室内側に向かった位置から下側に延びる室外側レール４１４と、基部４１１の室外側レール４１４よりも室内側に向かった位置で、かつ基部４１１の室内側の端部よりも室外側に向かった位置から下側に延びる室内側レール４１５と、基部４１１の室内側の端部から上側および下側に延びる樹脂カバー支持部４１６と、室内側レール４１５および樹脂カバー支持部４１６に係止される樹脂カバー４１７と、を有している。
【００５４】
基部４１１は、略平板状に形成され、板面が略水平面となる向きに配置されている。
既設網戸レール当接部４１２は、略平板状に形成され、板面が室内外方向を向く略鉛直面となる向きに配置される平板部４１２ａと、平板部４１２ａの上端部から室内側に突出する第１突出部４１２ｂと、平板部４１２ａの高さ方向の中間部から室内側に突出する第２突出部４１２ｃ、第２突出部４１２ｄ、第３突出部４１２ｅと、第２突出部４１２ｃの上側に配置された第１気密材４１２ｆと、第３突出部４１２ｅの上側に配置された第２気密材４１２ｇと、第３突出部４１２ｅの上側に配置された第３気密材４１２ｈと、を有している。第２突出部４１２ｃ、第２突出部４１２ｄおよび第３突出部４１２ｅは、この順番で上から下に間隔をあけて配置されている。第２突出部４１２ｃおよび第２突出部４１２ｄは、既設上枠２１の網戸レール２１３の室外に配置され、第３突出部４１２ｅは、第２突出部４１２ｄは、既設上枠２１の網戸レール２１３の下側に配置される。
【００５５】
既設網戸レール当接部４１２は、新設上枠４１が上枠アタッチメント５１を介して既設上枠２１に固定されると、第１突出部４１２ｂ、第２突出部４１２ｄの先端部、第１気密材４１２ｆおよび第２気密材４１２ｇが既設上枠２１の網戸レール２１３の室外側の面と当接し、第３気密材４１２ｈに既設上枠２１の網戸レール２１３の下部側が挿し込まれるように設置される。
【００５６】
網戸レール４１３は、新設サッシの網戸（不図示）を支持する部材である。室外側レール４１４は、既設サッシの室外側サッシ障子（不図示）を支持する部材である。室内側レール４１５は、既設サッシの室内側サッシ障子（不図示）を支持する部材である。これらの網戸レール４１３、室外側レール４１４および室内側レール４１５は、それぞれ略平板状に形成され、板面が室内外方向を向く略鉛直面となる向きに配置されている。
【００５７】
樹脂カバー支持部４１６は、略平板状に形成され、板面が室内外方向を向く略鉛直面となる向きに配置されている。
樹脂カバー４１７は、室内側レール４１５の室内側の面に沿って配置される室内側レールカバー部４１７ａと、基部４１１の室内側レール４１５よりも室内側の部分における下面に沿って配置される基部カバー部４１７ｂと、基部カバー部４１７ｂの室内側の端部から下側に延びて樹脂カバー支持部４１６に係止される被係止部４１７ｃと、被係止部の下端部から室内側に延びる室内側延設部４１７ｄと、を有している。
【００５８】
次に、既設上枠に新設上枠を取り付ける方法について説明する。
まず、上枠アタッチメント５１を既設上枠２１に固定する。
第１部材７１の第１連結部７１１と第２部材７２の第３連結部７２１とを連結し、第１部材７１の第２連結部７１２と第２部材７２の第４連結部７２２とを連結して第１部材７１と第２部材７２とを連結する。このとき、連結された第１部材７１および第２部材７２の室内側レール挿入部７１６に既設上枠２１の室内側レールが挿入可能であるとともに、室外側レール当接部７２９に室外側レール２１４の下端部が当接可能となるように、第１部材７１と第２部材７２との室内外方向の位置を調整する。
【００５９】
第１部材７１と第２部材７２とを連結したら、室内側レール挿入部７１６に既設上枠２１の室内側レール２１５を挿入し、室外側レール当接部７２９に室外側レール２１４の下端部が当接させる。これにより、第１部材７１の第１連結部７１１および接続部７１３、第２部材７２の第３連結部７２１および第２固定部７２３が既設上枠２１の室内側レール２１５と室外側レール２１４との間に配置される。
この状態で、固定部７１４を既設上枠２１の基部２１１をネジ７０ｄで固定し、第２固定部７２３を室外側レール２１４にビスで固定することで上枠アタッチメント５１が既設上枠２１に固定される。本実施形態では、第２固定部７２３が傾斜していることにより、室内側から傾斜した向きで第２固定部７２３を室外側レール２１４に固定することができる。
【００６０】
続いて、既設上枠２１に固定された上枠アタッチメント５１に新設上枠４１を固定する。
まず、新設上枠４１を上枠アタッチメント５１の下側に配置し、新設上枠４１の基部４１１を上枠アタッチメントの第２部材７２の第３固定部７２４および第４固定部７２５にネジ７０ｅで固定する。このとき、新設上枠４１の基部４１１のうち第４固定部７２５に固定される部分は樹脂カバー４１７の基部カバー部４１７ｂが設けられているため、樹脂カバー４１７も基部４１１とともに第４固定部７２５にネジ７０ｅで固定される。
上枠アタッチメント５１への新設上枠４１の固定と前後して、新設上枠４１の室内側に樹脂カバー４１７や気密材などを適宜設置する。
これにより、新設上枠４１が上枠アタッチメント５１を介して既設上枠２１に固定される。
【００６１】
なお、新設枠４は、新設上枠４１、新設下枠４２および新設縦枠４３，４４が連結された矩形枠の状態でけんどん式に既設上枠２１の内周側に配置される。このため、新設枠４が既設枠２の内周側に配置されると、新設上枠４１と上枠アタッチメント５１との間には、隙間が生じることになる。このため、本実施形態では、新設上枠４１と上枠アタッチメント５１との隙間に、スペーサ９が配置されている。具体的には、新設上枠４１の基部４１１と上枠アタッチメント５１の第３固定部７２４および第４固定部７２５との間にスペーサ９が配置されている。
【００６２】
一対の既設縦枠２３，２４は、それぞれ見付け方向に略対称となる形状に形成されている。このため室内側から見て左側となる見付け方向一方側の既設縦枠２３について説明し、他方側の既設縦枠２４については説明を省略する。また、一対の新設縦枠４３，４４および一対の縦枠アタッチメント５３，５４についても見付け方向一方側の新設縦枠４３，縦枠アタッチメント５３について説明し、他方側の新設縦枠４４および縦枠アタッチメント５４の説明を省略する。
【００６３】
図６に示すように、既設縦枠２３は、開口部１２の側縁部の内側に配置される基部２３１と、基部２３１から見付け方向一方側に突出し壁部１１に室外側から固定される固定部２３２と、基部２３１の室外側の端部よりやや室内側に向かった位置から見付け方向他方側に延びる第１ヒレ部２３３と、基部２３１の室内外方向の中間部から見付け方向の他方側に延びる第２ヒレ部２３４と、基部２３１の室内側の端部に連結されたアングル部と２３６と、を有している。
【００６４】
基部２３１は、略平板状に形成され、板面が見付け方向を向く鉛直面となる向きに配置されている。
固定部２３２は、略平板状に形成され、板面が室内外方向を向く鉛直面となる向きに配置されている。
第１ヒレ部２３３および第２ヒレ部２３４は、それぞれ板面が室内外方向を向く鉛直面となる向きに配置されている。
アングル部２３６は、基部２３１の室内側の縁部から見付け方向他方側に延びる第１アングル部２３７と、第１アングル部２３７の見付け方向他方側の縁部から室内側に延びる第２アングル部２３８と、を有している。第１アングル部２３７は、額縁３の室外側の端面と当接またはわずかな隙間をあけて対向している。第２アングル部２３８は、額縁３の見付け方向他方側の面の室外側の端部近傍と当接またはわずかな隙間をあけて対向をしている。
【００６５】
縦枠アタッチメント５３は、第１部材７５および第２部材７６を有している。第１部材７５と第２部材７６とは、連結された状態で既設縦枠２３に固定されている。第１部材７５と第２部材７６とは、室内外方向の所定の範囲において連結する位置を調整可能に構成されている。第１部材７５と第２部材７６とが連結される位置を調整することにより、既設縦枠２３の形状にかかわらず縦枠アタッチメント５３を既設縦枠２３に固定可能な形状とすることができる。
【００６６】
第１部材７５は、第２部材７６の第２連結部７６１と連結される第１連結部７５１と、既設縦枠２３に固定される第１固定部７５２と、第１連結部７５１と第１固定部７５２とを接続する第１接続部７５３とを有している。これらの第１連結部７５１、第１固定部７５２および第１接続部７５３は、金属などを加工して一体に形成されている。
第１連結部７５１と第１固定部７５２とはそれぞれ板面が見付け方向を向く向きで見付け方向に間隔をあけて対向し、第１連結部７５１が第１固定部７５２よりも室内側に配置されている。第１接続部７５３は室内外方向を向く向きに配置され、見付け方向一方側の縁部が第１固定部７５２の室内側の縁部と接続され、見付け方向他方側の縁部が第１連結部７５１の室内側の縁部と接続されている。
【００６７】
第１連結部７５１には、丸孔状のネジ孔７５１ａが高さ方向に間隔をあけて複数形成されている。
第１固定部７５２には、丸孔状のネジ孔７５２ａが高さ方向に間隔をあけて複数形成されている。
【００６８】
第２部材７６は、第１部材７５の第１連結部７５１と連結されるとともに、新設縦枠４３が固定される第２連結部７６１と、第２連結部７６１の室外側に連続して設けられ既設縦枠２３の第１ヒレ部２３３に固定される第２固定部７６２と、を有している。
第２連結部７６１は、第１部材７５の第１連結部７５１と連結される第１板部７６１ａと、第１板部７６１ａの室内側に接続して設けられて新設縦枠４３が固定される第２板部７６１ｂと、第１板部７６１ａの室外側に接続して設けられて新設縦枠４３が固定される第３板部７６１ｃと、を有している。
【００６９】
第１板部７６１ａは、平板状に形成されて板面が見付け方向を向く向きに配置されている。第１板部７６１ａには、室内外方向に延びる長孔状のネジ孔７６１ｄが高さ方向に間隔をあけて複数形成されている。
【００７０】
第２板部７６１ｂは、平板状に形成されて板面が見付け方向を向く向きに配置されている。第２板部７６１ｂは、第１板部７６１ａよりもやや見付け方向の他方側（既設枠と離間する側）に配置されている。第１板部７６１ａと第２板部７６１ｂとの間には、段部が形成されている。第２板部７６１ｂには、新設縦枠４３を固定するネジが挿通される丸孔状のネジ孔７６１ｅが形成されている。
【００７１】
第３板部７６１ｃは、平板状に形成されて板面が見付け方向を向く向きに配置されている。第３板部７６１ｃは、第１板部７６１ａよりもやや見付け方向の他方側に配置されている。第１板部７６１ａと第３板部７６１ｃとの間には、第１板部７６１ａ側（室内側）から第３板部７６１ｃ側（室外側）に向かって漸次見付け方向の他方側に向かうように傾斜する接続部７６１ｆが形成されている。第３板部７６１ｃには、新設縦枠４３を固定するネジが挿通される丸孔状のネジ孔７６１ｇが形成されている。
【００７２】
第２固定部７６２は、第２連結部７６１の第３板部７６１ｃの室外側の縁部から見付け方向の一方側に延びる第４板部７６２ａと、第４板部７６２ａの見付け方向一方側の縁部から室外側に延びる第５板部７６２ｂと、第５板部７６２ｂの室内外方向の中間部から室内外方向の一方側に延びる第６板部７６２ｃと、第５板部７６２ｂの室外側の縁部から見付け方向の一方側に延びる第７板部７６２ｄと、を有している。第６板部７６２ｃと第７板部７６２ｄとは、見付け方向の寸法が同じ寸法に形成され、平行に配置されている。
第５板部７６２ｂには、第６板部７６２ｃと第７板部７６２ｄとの間にネジ孔７６２ｅが形成されていて、見付け方向の他方側からネジ７６２ｆを挿通するとネジ７６２ｆが、第６板部７６２ｃと第７板部７６２ｄとの間に挿入されるように構成されている。
【００７３】
新設縦枠４３は、既設縦枠２３に固定された縦枠アタッチメント５３の見付け方向他方側に配置される基部４３１と、基部４３１の室外側の縁部から見付け方向一方側に延びるカバー部４３２と、基部４３１の室外側の縁部近傍から見付け方向他方側に延びる第１ヒレ部４３３と、基部４３１の室内外方向の中間部から見付け方向他方側に延びる第２ヒレ部４３４と、基部４３１の室内側の縁部から見付け方向他方側にのびる樹脂カバー係止部４３５と、樹脂カバー係止部４３５に係止される樹脂カバー４３６と、を有している。
【００７４】
基部４３１は、略平板状に形成され、板面が見付け方向を向く鉛直面となる向きに配置されている。基部４３１には、第１ヒレ部４３３と第２ヒレ部４３４との間に高さ方向に間隔をあけてネジ孔４３１ａが複数形成されている。また、基部４３１には、第２ヒレ部４３４と樹脂カバー係止部４３５との間に高さ方向に間隔をあけてネジ孔４３１ｂが複数形成されている。
カバー部４３２は、略平板状に形成され、板面が室内外方向を向く鉛直面となる向きに配置されている。カバー部４３２は、縦枠アタッチメント５３の第７板部７６２ｄの室外側に室内外方向に間隔をあけて対向して配置される。本実施形態では、カバー部４３２と縦枠アタッチメント５３の第７板部７６２ｄとの間に止水材４３２ａが設けられている。
【００７５】
第１ヒレ部４３３、第２ヒレ部４３４および樹脂カバー係止部４３５は、それぞれ板面が室内外方向を向く鉛直面となる向きに配置されている。
樹脂カバー４３６は、樹脂カバー係止部４３５に係止される被係止部４３６ａと、被係止部４３６ａから室内側に延びる室内側延設部４３６ｂと、を有している。
【００７６】
次に、既設縦枠２３に新設縦枠４３を取り付ける方法について説明する。
まず、縦枠アタッチメント５３を既設縦枠２３に固定する。
第１部材７５の第１連結部７５１と第２部材７６の第２連結部７６１とを連結し、第１部材７５と第２部材７６とを連結する。第１部材７５の第１連結部７５１と第２部材７６の第２連結部７６１とを重ね、重なった第１連結部７５１のネジ孔７５１ａと第２連結部７６１の長孔状のネジ孔７６１ｄにネジ７０ｊを挿通して締結して、第１部材７５と第２部材７６とを連結する。このとき、第２連結部７６１に対する第１連結部７５１の室内外方向の位置を調整して縦枠アタッチメント５３を既設縦枠２３に固定できる形状とする。具体的には、第１部材７５の第１固定部７５２室内側の縁部が既設縦枠２３の第１アングル部２３７と当接し、第２部材７６の第２固定部７６２の第７板部７６２ｄにおける室内の端面が既設縦枠２３の第１ヒレ部２３３の室外側の面と当接する形状とする。
【００７７】
そして、第１部材７５の第１固定部７５２に挿通されたネジ７０ｉを既設縦枠２３の基部２３１に固定する。また、第２部材７６の第５板部７６２ｂのネジ孔７６２ｅにネジ７０ｍを挿通し、第６板部７６２ｃと第７板部７６２ｄとの間に挿通されたネジ７０ｍの脚部と、第６板部７６２ｃとで既設縦枠２３の第１ヒレ部２３３を挟んで固定した状態とする。
これにより、縦枠アタッチメント５３が既設縦枠２３に固定される。
なお、第１部材７５を既設縦枠２３に固定した後に、第２部材７６を第１部材７５に固定して、縦枠アタッチメント５３を既設縦枠２３に固定してもよい。
【００７８】
次に、新設縦枠４３を縦枠アタッチメント５３に固定する。
新設縦枠４３を縦枠アタッチメント５３の見付け方向他方側に配置し、新設縦枠４３の基部４３１に形成されたネジ孔４３１ａ，４３１ｂに挿通されたネジ７０ｋ，７０ｌを縦枠アタッチメント５３の第２部材７６の第２連結部７６１に固定する。これにより、新設縦枠４３が縦枠アタッチメント５３に固定される。
縦枠アタッチメント５３への新設縦枠４３の固定と前後して、新設縦枠４３の室内側に気密材や、樹脂カバー４３６などを適宜設置する。
本実施形態では、縦枠アタッチメント５３の第２部材７６と新設縦枠４３の基部４３１との間に、新設縦枠４３のがたつきを防止するためのスペーサ９を設けている。
【００７９】
次に、上述した改装用サッシの施工方法の作用・効果について図面を用いて説明する。
上述した本実施形態による改装用サッシ１の施工方法では、既設下枠２２の室外側レール２２４の室外の面に、下枠アタッチメント５２における第２部材７４の第３鉛直板部７４５の室内側の面７４５ｂ（室内外方向位置決め面）を室外側から当接させることで第２部材７４の室内外方向の位置決めを容易に行うことができる。また、既設下枠２２の室外側レール２２４に高さ調整部７７を載置させて第２部材７４の高さ方向の位置決めを行うことにより、第２部材７４は、高さ方向の位置決めの際に高さ調整部７７を介して既設下枠２２の室外側レール２２４に支持されているため、第２部材７４の高さ方向の位置決めを安定した状態で容易に行うことができる。
また、室内外方向位置決め面となる第２部材７４の第３鉛直板部７４５の室内側の面７４５ｂと高さ調整部７７とが隣接していることにより、室内外方向の位置決めと高さ方向の位置決めとを同じ位置で行うことができる。
【００８０】
また、新設下枠４２を下枠アタッチメント５２に固定する前に、既設下枠２２の網戸レール２２３の室外側の面２２３ａ（室外側の端面）に新設下枠４２との室内外方向の間隔を保持するスペーサ４２２ａを設けることにより、新設下枠４２の室内外方向の位置決めを容易に行うことができる。また、スペーサ４２２ａによって形成された既設下枠２２の網戸レール２２３と新設下枠４２の既設網戸レール対向部４２２との隙間を既設下枠２２と新設下枠４２の間に入り込んだ雨水などの水抜き孔として使用することができる。
【００８１】
また、既設下枠２２の室外側レール２２４に高さ調整部７７を載置させて下枠アタッチメント５２の高さ方向の位置決めを行うことにより、下枠アタッチメント５２の高さ方向の位置決めの際に高さ調整部７７を介して下枠アタッチメント５２が既設下枠２２に支持されているため、下枠アタッチメント５２の高さ方向の位置決めを安定した状態で容易に行うことができる。
また、高さ調整部７７は、ネジ部７７１を回転させることで下枠アタッチメント５２の第２部材７４の既設下枠２２に対する高さを調整できるため、第２部材７４の高さ方向の位置決めを容易に行うことができる。
【００８２】
（第２実施形態）
次に、第２実施形態について、添付図面に基づいて説明するが、上述の第１実施形態と同一又は同様な部材、部分には同一の符号を用いて説明を省略し、実施形態と異なる構成について説明する。
図８に示すように、第２実施形態による改装用サッシの施工方法では、図２に示す第１実施形態による改装用サッシ１の高さ調整部７７と異なる高さ調整部７８が用いられている。
第２実施形態の高さ調整部７８は、第１実施形態のネジ部７７１と同様のネジ部７８１と、第１実施形態の載置部７７２と異なる形状の載置部７８２と、を有している。
図９に示すように、載置部７８２は、第１実施形態の載置部７７２と同様に上板部７８３、一対の側板部７８４，７８４および一対の下板部７８５，７８５を有し、さらに、一対の下板部７８５，７８５それぞれから下側に突出する一対の突出板部７８６，７８７を有している。
【００８３】
一対の突出板部７８６，７８７のうちの一方の第１突出板部７８６は、一対の下板部７８５，７８５のうちの一方の下板部７８５の室外側の縁部から下側に延びる平板状に形成されている。一対の突出板部７８６，７８７のうちの他方の第２突出板部７８７は、一対の下板部７８５，７８５のうちの他方の下板部７８５の室内側の縁部から下側に延びる平板状に形成されている。一対の突出板部７８６，７８７は、それぞれ同じ高さ寸法に形成されている。
第２実施形態の高さ調整部７８は、一対の側板部７８４，７８４が第１実施形態の高さ調整部７７の一対の側板部７７４，７７４よりも、高さ寸法が大きくなるように形成されている。
【００８４】
高さ調整部７８は、第１実施形態の高さ調整部７７と同様にネジ部７８１が下枠アタッチメント５２の第２部材７４に係止されている。高さ調整部７８は、室外側レール２２４の上端部に載置部７８２の一対の下板部７８５，７８５の下面を当接させるようにして既設下枠２２の室外側レール２２４の上端部に載置されている。このとき、第１突出板部７８６は、室内側の面７８６ａが室外側レール２２４の室外側の面と当接している。本実施形態では、第１突出板部７８６の室内側の面７８６ａが本発明の室内外方向位置決め面に相当している。
第２実施形態による改装用サッシの施工方法では、載置部７８２の一対の下板部７８５，７８５の下面を室外側レール２２４の上端部に当接させるようにするとともに、第１突出板部７８６の室内側の面を室外側レール２２４の室外側の面と当接させ、高さ調整部７８のネジ部７８１を調整して第２部材７４の高さを調整する。このようにして第２部材７４の位置決めを行ってから第２部材７４を第１部材７３と連結する。
【００８５】
第２実施形態による改装用サッシの施工方法および下枠アタッチメントでは、高さ調整部７８を用いて第２部材７４（下枠アタッチメント）の室内外方向の位置決めおよび高さ方向の位置決めの両方を行うことができる。
【００８６】
以上、本発明による改装用サッシの施工方法およびアタッチメントの実施形態について説明したが、本発明は上記の実施形態に限定されるものではなく、その趣旨を逸脱しない範囲で適宜変更可能である。
例えば、上記の実施形態では、新設下枠４２を下枠アタッチメント５２に固定する前に、既設下枠２２の網戸レール２２３の室外側の面２２３ａ（室外側の端面）に新設下枠４２との室内外方向の間隔を保持するスペーサ４２２ａを設けているが、スペーサ４２２ａを設けずに新設下枠４２を下枠アタッチメント５２に固定してもよい。
【００８７】
また、上記の実施形態では、縦枠アタッチメント５３の第７板部７６２ｄと新設縦枠４３のカバー部４３２との間に止水材４３２ａが設けられているが、図１０に示すように、縦枠アタッチメント５３の第７板部７６２ｄと新設縦枠４３のカバー部４３２との間に止水材が設けられていなくてもよい。
また、上記の実施形態では、高さ調整部７７，７８は、ネジ部７７１，７８１と載置部７７２，７８２とを有し、ネジ部７７１，７８１を調整することで下枠アタッチメント５２の第２部材７４の高さを調整するように構成されているが、下枠アタッチメント５２の第２部材７２の高さを調整する構成は適宜設定されてよい。また、本実施形態では、下枠アタッチメント５２は、第１部材７３と第２部材７４とが連結される構成であるが、第１部材７３と第２部材７４とが連結した部材に相当する１つの部材を有する構成としてもよい。
【符号の説明】
【００８８】
１  改装用サッシ
１１  壁部
１２  開口部
２２  既設下枠
４２  新設下枠
５２  下枠アタッチメント（アタッチメント）
７４  第２部材（本体部）
７７，７８  高さ調整部
２２３ａ  面（室外側の端面）
２２４  室外側レール
２２４ａ  面
４２２ａ  スペーサ
７４５ｂ  面（室内外方向位置決め面）
７７１，７８１  ネジ部
７７２，７８２  載置部
７８６ａ  面（室内外方向位置決め面）
【図１】
2018105070.tif 000003
【図２】
2018105070.tif 000004
【図３】
2018105070.tif 000005
【図４】
2018105070.tif 000006
【図５】
2018105070.tif 000007
【図６】
2018105070.tif 000008
【図７】
2018105070.tif 000009
【図８】
2018105070.tif 000010
【図９】
2018105070.tif 000011
【図１０】
2018105070.tif 000012